(57)【要約】【課題】容易、安定的、高い精度で音質の調整が可能なドラム調音装置及びそれを用いたドラムを提供する。【解決手段】本発明にかかるドラム調音装置は、リング状の支持部材と、支持部材をドラムに対し固定する固定部材と、支持部材に配置され、伸張可能な伸張部材と、伸張部材に配置される調音部材と、を有する。また、本発明にかかるドラムは、一対の開口部を有する胴筒と、胴筒の一対の開口部に張られたヘッドと、胴筒の内側に配置されたドラム調音装置と、を有し、調音装置は、胴筒の内周に沿って配置されるリング状の支持部材と、支持部材を前記胴筒に対し固定する固定部材と、支持部材に配置され、伸張可能な伸張部材と、伸張部材に配置される調音部材と、を有する。【選択図】図３
2012022103.tif 000002
【特許請求の範囲】
【請求項１】
リング状の支持部材と、
前記支持部材をドラムに対し固定する固定部材と、
前記支持部材に配置され、伸張可能な伸張部材と、
前記伸張部材に配置される調音部材と、を有するドラム調音装置。
【請求項２】
一対の開口部を有する胴筒と、
前記胴筒の一対の開口部に張られたヘッドと、
前記胴筒の内側に配置されたドラム調音装置と、を有し、
前記調音装置は、前記胴筒の内周に沿って配置されるリング状の支持部材と、前記支持部材を前記胴筒に対し固定する固定部材と、前記支持部材に配置され、伸張可能な伸張部材と、前記伸張部材に配置される調音部材と、を有するドラム。
【請求項３】
前記伸張部材は、膨張部材である請求項１記載のドラム調音装置。
【請求項４】
前記伸張部材は、前記支持部材に対向して配置される押圧部材と、前記支持部材と押圧部材との間に配置される距離調節部材と、を有する請求項１記載のドラム調音装置。
【発明の詳細な説明】
【技術分野】
【０００１】
本発明は、ドラム調音装置及びそれを用いたドラムに関する。
【背景技術】
【０００２】
一般にドラムは、胴筒と、この胴筒に張られたヘッドを有する膜鳴楽器であり、リズムをとる等、音楽演奏において非常に重要な楽器となっている。
【０００３】
そして音楽は芸術的活動であり、ドラムの音質は演奏曲が伝えたい内容（曲の表情）を表現する際に欠かすことのできない要素である。
【０００４】
ドラムの音質調整としては、ドラムの胴筒の内側下部にヘッドに触れるよう毛布を配置し、これをレンガ等の錘を用いて固定することにより行なわれている場合もある。
【発明の概要】
【発明が解決しようとする課題】
【０００５】
しかしながら、ドラムは打楽器であるため、ヘッドを叩くと強い振動が発生してしまう。この結果、上記音質調整方法では、レンガ等の錘が移動してしまうおそれが強く、演奏中にドラムの音質が変化してしまうといった課題がある。この場合、再調整は容易ではなく、演奏曲と演奏曲との間程度の時間で調整するのは困難であり、またドラム内を覗いて毛布等の位置を調整する姿は観客に見せられるものではないといった問題もある。また仮に、ドラムの音質が変化しなかったとしても、演奏曲によってはドラムの音質を変えたい場合があるが、これに対応できないといった問題もある。更に、ドラムのヘッドは円状に張られ、叩かれた際ヘッドが波打つように振動することで音を伝えるものであるが、胴筒の下部、即ちヘッドの下部に非対称に毛布を配置してしまったのでは、ヘッドのきれいな振動を達成できないといった課題がある。
【０００６】
そこで、本発明は、容易、安定的、高い精度で音質の調整が可能なドラム調音装置及びそれを用いたドラムを提供することを目的とする。
【課題を解決するための手段】
【０００７】
上記課題について本発明者が鋭意検討を重ねた結果、ドラムの胴筒の内側に支持部材を配置するとともに、ヘッドと支持部剤との間に膨張部材及び調音部材を配置することで、膨張部材を膨張させることでヘッドに対する調音部材の圧を調整できる点に思い至り、本発明を完成させるに至った。
【０００８】
即ち、本発明の一観点に係るドラム調音装置は、リング状の支持部材と、支持部材をドラムに対し固定する固定部材と、支持部材に配置され伸張可能な伸張部材と、伸張部材に配置される調音部材と、を有する。
【０００９】
また、本発明の他の一観点にかかるドラムは、一対の開口部を有する胴筒と、胴筒の一対の開口部に張られたヘッドと、胴筒の内側に配置されたドラム調音装置と、を有し、調音装置は、胴筒の内周に沿って配置されるリング状の支持部材と、支持部材をドラムに対し固定する固定部材と、支持部材に配置され、伸張可能な伸張部材と、伸張部材に配置される布部材と、を有する。
【発明の効果】
【００１０】
以上、本発明により、容易、安定的、高い精度で音質の調整が可能なドラム調音装置及びそれを用いたドラムを提供することができる。
【図面の簡単な説明】
【００１１】
【図１】実施形態１にかかるドラムを正面から見た概略図である。
【図２】実施形態１にかかるドラムを側面から見た概略図である。
【図３】実施形態１にかかるドラムを中心軸に沿った面で切断した場合の概略図である。
【図４】実施形態１にかかるドラムを中心軸に垂直な面で切断した場合の概略図である。
【図５】図３における打面側ヘッドの縁部近傍の拡大図である。
【図６】図４における打面ヘッドの縁部近傍の拡大図である。
【図７】実施形態２にかかるドラムを中心軸に沿った面で切断した場合の概略図である。
【図８】実施形態２にかかる距離調節部材の概略を示す図である。
【図９】実施形態２にかかる距離調節部材の概略を示す図である。
【発明を実施するための最良の形態】
【００１２】
以下、本発明の実施形態について図面を参照しつつ説明する。ただし、本発明は多くの異なる態様で実施することが可能であり、以下に示す実施形態に限定されるものではない。
【００１３】
（実施形態１）
図１は、本実施形態に係るドラム（以下「本ドラム」という。）１の正面からみた概略図であり、図２は、側面から見た概略図である。図３は、本ドラム１の胴筒１１の中心軸方向に沿った面で切断した場合の概略図であり、図４は、本ドラム１の胴筒１１の中心軸方向に垂直な面で切断し、打面側のヘッドを裏側から見た場合の概略図である。
【００１４】
これらの図で示すように本ドラム１は、一対の開口部を有する胴筒１１と、胴筒１１の一対の開口部に張られた打面側ヘッド１２１及びフロント側ヘッド１２２と、胴筒１１の内側に配置されたドラム調音装置２と、打面側ヘッド１２１を叩くためのフットペダル３と、を有している。
【００１５】
本実施形態において、胴筒１１は、ドラムの主要な骨格をなす部材であって、一対の開口部を有する筒で構成されており、一対の開口部にヘッドが配置されている。
【００１６】
本実施形態においてヘッドは、一対の開口部のそれぞれに張られるものであり、打面側に張られる打面側ヘッド１２１と、その打面側ヘッド１２１が張られた開口部とは反対の開口部側に張られるフロント側ヘッド１２２と、に分けられる。
【００１７】
本実施形態において打面側に張られる打面側ヘッド１２１は、叩かれることにより音を発生すものであって、演奏者は、フットペダル３を用いて打面側ヘッド１２１を叩き、音を出すことができる。
【００１８】
また本実施形態において、打面側ヘッド１２１の周囲には、リング１２１１が付されている。演奏しようとする者は、胴筒１１の外側にリング１２１１がくるよう打面側ヘッド１２１を配置し、更にリング１２１１の打面側に筒状のリム１２３を嵌め、このリム１２３を胴筒１１に固定された複数のラグ１２４、複数のラグ１２４に対応して配置されるチューニングボルト１２５及び金具１２６によって締め付け、打面側ヘッド１２１を強く張る。図５に、図３における打面側ヘッドの縁部近傍の拡大図を示しておく。
【００１９】
本実施形態においてフロント側に張られるフロント側ヘッド１２２は、打面側ヘッド１２１と対となってドラムから音を調節するためのものである。ドラムの音は、ヘッドの張力、胴筒の径、長さ（打面側ヘッド１２１とフロント側ヘッド１２２の距離）等に基づいて定めることができる。なお、フロント側ヘッド１２２には、音質調整や気圧調整のため孔が開けられている場合がある。
【００２０】
また本実施形態におけるフロント側ヘッド１２２も上記打面側ヘッド１２１と同様、周囲にリング１２２１が付されており、演奏しようとする者は、胴筒１１の外側にリング１２２１がくるようフロント側ヘッド１２２を配置し、更にリング１２２１のフロント側に筒状のリム１２３を嵌め、このリム１２３を胴筒１１に固定された複数のラグ１２４、複数のラグ１２４に対応して配置されるチューニングボルト１２５及び金具１２６によって締め付け、フロント側ヘッド１２２を強く張る。
【００２１】
また通常、ドラムの胴筒１１にはレッグ１２７が配置されており、胴筒１１が回転移動してしまうことを防止している。
【００２２】
本実施形態における調音装置２は、胴筒１１の内周に沿って配置されるリング状の支持部材２１と、支持部材２１をドラムの胴筒１１に対し固定する固定部材２２と、支持部材２１に配置され、伸張可能な伸張部材２３と、伸張部材２３に配置される調音部材２４と、を有する。なお図６に、図４における打面ヘッドの縁部近傍の拡大図を示しておく。
【００２３】
本実施形態における支持部材２１は、伸張部材２３及び調音部材２４を支持するための部材である。上記の通り支持部材２１は胴筒１１の内周に沿って配置されるとリング状である。
【００２４】
支持部材の外径は、設置するドラムの胴筒の大きさに応じて適宜調整が可能であり限定されないが、設置するドラムの胴筒１１の内径から１ｃｍ以上３ｃｍ以下の範囲で小さいものであることが、ヘッド面積を犠牲にすることなく音質調整が可能となる点で好ましい。
【００２５】
また支持部材の幅２１１は、伸張部材２３及び調音部材２４の大きさによって適宜調整可能であり、制限されるわけではないが、２ｃｍ以上８ｃｍ以下であることが好ましく、より好ましくは３ｃｍ以上５ｃｍ以下の範囲である。２ｃｍ以上とすることで安定的に膨張部材２３及び調音部材２４を配置することができ、３ｃｍとすることでこの効果が顕著になる一方、８ｃｍ以下とすることで、不必要に面積を占めることによる音質の低下を防ぐことができるといった効果があり、５ｃｍ以下とすることでこの効果をより確保することができる。
【００２６】
また支持部材の厚さも、伸張部材２３及び調音部材２４を安定的に支持することができる限りにおいて限定されないが、１ｃｍ以上２ｃｍ以下程度であれば十分である。
【００２７】
なお支持部材２１の材質としても、ある程度の強度を持って固定できる限りにおいて特に限定されないが、木材であっても金属製であっても、更には樹脂であってもよく、これらの混合物であってもよい。なお特に制限されるものではないが、不必要に振動を伝えないよう木材であることが好ましい。
【００２８】
なお本実施形態において、支持部材２１は、打面側ヘッド１２１近傍に配置されていることが好ましい。打面側ヘッド近傍に配置することで打面側ヘッド１２１と支持部材２１の間に伸張部材２３及び調音部材２４を間に挟む一方で、伸張部材によって調音部材を押し当てることが容易になる。配置する距離としては、間に配置される膨張部材２３及び調音部材２４の大きさ、厚さにより適宜調整可能であり、特に限定されるわけではないが、例えば２ｃｍ以上１０ｃｍ以下であることが好ましい。
【００２９】
本実施形態に係る固定部材２２は、支持部材２１をドラムの胴筒１１に対し固定するための部材であって、支持部材２１に複数配置されている。固定部材２２の数や配置は、適宜調整可能であり限定されるわけではないが、少なくとも２以上が必要であり、また胴筒の軸を中心に回転対称となるよう等間隔で配置されていることが好ましい。
【００３０】
また固定部材２２は、上記の機能を有する限りにおいて限定されるわけではないが、支持部材２１にネジ止めされたプレート２２１、プレート２２１に配置されるナット２２２、２２３、ナット２２２、２２３に回転ながら挿入が可能な締付ハンドル２２４と、を有していることが好ましい。なお、締付ハンドル２２４の先にはゴム等の緩衝部材２２５１を配置した先端部２２５が設けられている。この構成とすることで、締付ハンドル２２４を回転させることで先端部２２５を支持部材２１の半径方向に押し出すことが可能となり、外筒１１に支持部材を固定することができるようになる。
【００３１】
また本実施形態に係る伸張部材２３は、伸張させることのできる部材であり、支持部材２１に配置されており、更に、支持部材２１と打面側ヘッド１２１の間にあるよう配置される。この結果伸張部材２３は、支持部材２１と打面側ヘッド１２１の間に配置され、伸張することにより、調音部材２４を打面側ヘッド１２１に押し当て、音質を調節することができるようになる。なお、伸張部材２３は、伸張が可能である一方で、収縮できる部材であることも好ましい。伸張部材２３は、支持部材２１に点在して配置しても良いが、支持部材２１と同様のリング状であることは、中心軸を中心として対称にヘッドを振動させ、音質を高精度に調整する観点から好ましい。リング状の場合、径はリング状の支持部材２３と同程度の径、幅を有していることが好ましい。このようにすることで、伸張部材を膨張させた場合であっても十分支持部材で押さえ、打面側ヘッド１２１を押圧することが可能となる。
【００３２】
伸張部材２３としては、伸張することができる限りにおいて限定されるわけではないが、例えばゴム等により構成されるチューブ等の膨張部材であることは好ましい一例である。ゴム等チューブとすることで、リング状の支持部材の形状に合わせて配置が容易であるとともに、空気や水等の流体をポンプ等でチューブ内部に注入することで膨張、収縮が容易であるだけでなく、圧力という数値化によって音の客観的調整が容易になる。
【００３３】
また本実施形態において、伸張部材２３が膨張部材であって、更にチューブである場合、例えばこのチューブに接続される接続管２３１と、この接続管２３１にバルブ２３２を介して接続されるポンプ２３３と、を有していることが好ましい。このようにすることで、一度ドラム内に調音装置をセットしてしまえばドラムのヘッドを外すことなくドラムの胴筒の外側から簡単にチューブ内の圧力を調整して音質調整が可能となる。具体的に説明すると、演奏者は、演奏の際バルブ２３２を締めて圧を一定にして音質を確保する一方、他の曲を演奏する前に、バルブ２３２を開いてポンプにより流体の圧を調節することで音の調整が簡単に可能となる。特に、ドラムにはフロント側ヘッドに孔が形成されている場合があり、また胴筒１１にも気圧を調整するための孔が形成されてもいるため、この孔に上記接続管２３１を通すことで、胴筒１１内のチューブと無理なく接続が可能となる。なお、ポンプ２３３には、調整した後、ポンプを支柱等に掛けるためのクランプ２３４が付されていることが好ましい。更に、本実施形態に係る接続管に、チューブ内部の圧力を表示するための圧力表示計２３５を設けておくことが好ましい。このようにすることで、どの程度の圧力にすればどのような音質となるかが客観的に評価することができるといった効果がある。
【００３４】
また本実施形態に係る調音部材２４は、膨張部材２３に支持されるものであって、膨張部材２３が膨張することで打面側ヘッド１２１に押し付けられ、ドラムの音質を調節することのできるものであり、この限りにおいて限定されるわけではないが、例えば布であることが好ましい。なお布の場合、材質は求める音質などによって適宜調整可能であるが、絹、綿、麻、ウール、カシミヤ等の天然繊維であっても、ナイロン、ポリウレタン、ポリエステル等の合成繊維であってもよく、特に限定されない。また、調音部材２４は、膨張部材状に点在させてもよいが、膨張部材の形状に対応させておくことが好ましく、より好ましくはリング状である。このようにすることで、中心軸を中心として対称にヘッドを振動、抑制させ、音質を高精度に調整する観点から好ましい。
【００３５】
また、本実施形態に係るフットペダル３は、足で踏むことによりドラムの打面側ヘッド１２１を叩くことのできるものである。本フットペダルの構成は、限定されるわけではないが、アンダープレート３１と、このアンダープレート３１に軸３２１を介して接続されるフットボード３２と、ドラムの打面側ヘッド１２１を叩くビーター３３と、ビーター３３を保持するローラー３４と、フットボード３２とローラー３４とを接続し、フットボード３２の踏み込み量に応じてローラー３４を回転させるためのストラップ３５と、を有して構成されており、ドラムの打面側ヘッド近傍に配置され、演奏者はリズムに応じてフットボード３２を踏み込み打面側ヘッドを叩くことができる。なおフットペダル３は、アンダープレート３１の先端部分に形成される挟み部材３６によってリム１２３を挟み、打面側ヘッド１２１との距離を固定している。
【００３６】
ここで、本実施形態に係るドラム調音装置の設置方法及びドラムの調音方法について説明する。なおここでは伸張部材の一例の膨張部材としてチューブの例を用いて説明する。
【００３７】
まず、設置しようとする者（以下「設置者」という。）は、チューニングボルト１２３を緩め、ドラムのフロント側ヘッドを胴筒から外す。ヘッドを外した後、本実施形態にかかるドラム調音装置の支持部材等を持ちつつドラムの打面側ヘッドの張られる位置近傍（好ましくは２ｃｍ以上１０ｃｍ以下の範囲）に適宜調整しながら配置し、固定部材を用いてドラムの胴筒の内側に固定する。
【００３８】
ドラム調音装置を固定した後、ドラム調音装置の伸張部材としての膨張部材（チューブ）に接続管を設置し、胴筒に形成される孔を通した後、その先を孔の外でバルブ２３２を介してポンプ２３３に接続させる。そしてフロント側ヘッドをチューニングボルト１２３を再び強く締めることで設置し、ドラム音調装置の設置が完了する。
【００３９】
次に、演奏者（設置者と同じ者であってもよい）は、フットペダルによって打面側ヘッドを叩きながらポンプを用いて膨張部材を膨張させつつ膨張部材に支持される調音部材を打面側ヘッドに押し当て、調音する。好みの音質に調整ができた場合、演奏者はバルブを閉めて圧を所望の圧に保持し、調音を完了させる。なおポンプは外してもよいが、クランプが付されている場合、他の楽器を支える支柱等にこのクランプで保持させておくこともできる。このようにすることで、演奏曲と演奏曲の間、曲によってドラムの音質を簡単に変えることができるようになる。
【００４０】
なおここでは説明を簡単にするため、フロント側ヘッドを外した例で説明しているが、打面側ヘッド側を外してドラム調音装置を固定してもよいし、フロント側ヘッドを外した場合であっても、フロント側ヘッドを再度固定する前にドラムの音調整を行なうこととは可能である。
【００４１】
本実施形態に係る発明は、上記の通り、支持部材と、固定部材と、伸張部材と、調音部材と、を有し、更には膨張部材に接続される接続管、ポンプを有しているため、演奏中の振動によってずれてしまうおそれが極めて少なくなるとともに、リング状の支持部材を配置することで、円形状のヘッドの周囲縁部全体に均一に調音部材を配置することができるためヘッドの振動の均一性による音質低下を防ぐことができる。更には、膨張部材を膨張させるための接続管を胴筒の孔に貫通させることで、ドラム内を覗き込むなど直接的にドラムを操作する必要が少なくなり、たとえ演奏曲と演奏曲の間の短い時間であっても非常に簡便に音の調整が可能となる。また、本ドラム調音装置はドラムの筒内に配置するものであるため、打面側ヘッドに配置する必要がなく、打面側ヘッドに極めて近く配置しなければならないフットペダル近傍に物を配置する必要もなく、従来のドラムと同様に扱うことができるようになる。
【００４２】
以上、本実施形態に係るドラム及びドラム調音装置によると、容易、安定的、高い精度で音質の調整が可能なドラム調音装置及びそれを用いたドラムを提供することができる。
【００４３】
（実施形態２）
本実施形態における調音装置２は、伸張部材２３の構成が異なる以外は上記実施形態１と同様である。具体的には、本実施形態に係る調音装置２は、伸張部材２３として支持部材２１に対向して配置されるリング状の押圧部材２３５と、押圧部材２３５と支持部材２１の間に配置され押圧部材と支持部材２１の距離を調節する距離調節部材２３６と、を有して構成されている。本実施形態に係る伸張部材２３の概略を示す図を図７に示しておく。なお本実施形態に係る伸張部材２３は、本実施形態に係る押圧部材２３５のフロント側ヘッドに向いた側に調音部材２４が配置されている。
【００４４】
本実施形態における押圧部材２３５は、距離調節部材２３６によってヘッドに対して前進、後進されるものであって、調音部材２４を配置することができる部材である。この部材を採用することで、よりリング状かつ均一にヘッドを押すことができるようになるといった効果がある。押圧部材２３５の形状としては、支持部材２１と同様の構成を採用することができ、同じものであることは好ましい一例である。
【００４５】
また本実施形態における距離調節部材２３６は、上記押圧部材２３５と支持部材２１の距離を調節することができるものであって、より好ましくは面を平行に保ったままヘッド側に押圧部材を前進、後進させることができるものであることが好ましい。
【００４６】
距離調節部材２３６の構成については、特に限定されないが、例えば図８の例で示すように、支持部材２１の周方向に沿って配置される複数の軸ユニット２３６１と、この軸ユニット２３６１を回転させる駆動ユニット２３６２と、を有して構成されていることが好ましい。なおこの場合において、各軸ユニットは、支持部材２１に固定される支持側ハウジング２３６１１と、押圧部材２３５側に設けられる押圧側ハウジング２３６１２と、この一対のハウジングに支持されつつ貫通し、回転可能に支持される軸２３６１３と、この軸２３６１３に固定されるタイミングプーリー２３６１４と、を有しており、駆動ユニット２３６２は、実際に軸を回転させるモーター２３６２１と、各軸ユニット２３６１の軸２３６１３のタイミングプーリー２３６１４に共通に配置され軸２３６１３を回転させるためのベルト２３６２２と、を有していることが好ましい。なお軸２３６１３にはネジ溝が形成されている一方、押圧側ハウジング２３６１２にネジ孔が付されたナット２３６１５が配置されており、モーターにより軸２３６１３を回転させることで支持側ハウジング２３６１１及び押圧側ハウジング２３６１２の距離を近づけるすなわち押圧部材２３５と支持部材２１の距離を近づけることができるようになる。なおこの場合、モーター２３６２１には電気配線２３６２３及び駆動スイッチ２３６２４を接続し、ドラムの胴筒に形成される貫通孔等を通すことでドラムの外からでも容易にドラムの音質を調節することができるようになる。なお図８は、モーターが付された軸ユニットを、図９はモーターが付されていない軸ユニットを示す。
【００４７】
また、本実施形態にかかるドラムには、距離調節部材２３６の調節した距離を計るための部材が付されていることが好ましく、例えばリム１２３に回転可能に固定されるダイヤルゲージ２３７を設けることが好ましい。
【００４８】
以上、本実施形態に係るドラム及びドラム調音装置によっても、容易、安定的、高い精度で音質の調整が可能なドラム調音装置及びそれを用いたドラムを提供することができる。
【産業上の利用可能性】
【００４９】
本発明は、ドラム調音装置及びそれを用いたドラムとして産業上の利用可能性がある。
【図１】
2012022103.tif 000003
【図２】
2012022103.tif 000004
【図３】
2012022103.tif 000005
【図４】
2012022103.tif 000006
【図５】
2012022103.tif 000007
【図６】
2012022103.tif 000008
【図７】
2012022103.tif 000009
【図８】
2012022103.tif 000010
【図９】
2012022103.tif 000011